(57)【特許請求の範囲】
【請求項１】
入力装置と、出力装置と、メモリと、プロセッサとを含む、パケットデータネットワークとの接続を確立するデバイスであって、
前記プロセッサが、
ユーザ機器の位置が変化するときに、前記ユーザ機器がパケットデータネットワークに接続するために経由するアンカゲートウェイによってサービス提供されるエリアが、データ転送ゲートウェイによってサービス提供されるエリアと一致するかどうかを判定するステップと、
前記ユーザ機器が現在音声サービスを有すると判定し、前記判定の結果が「いいえ」であるときに、前記ユーザ機器の現在の音声ベアラが完全に解放されていることを条件として、再接続インジケーションを搬送する音声パケットデータネットワーク（ＰＤＮ）接続開放要求を前記ユーザ機器に送信するステップと、
前記ユーザ機器によって送信された音声ＰＤＮ接続の再接続要求を受信するステップと、
前記データ転送ゲートウェイによってサービス提供される前記エリアと一致するエリアにサービスを提供するアンカゲートウェイを選択するステップと、
前記選択されたアンカゲートウェイを使用することによって、前記ユーザ機器を前記パケットデータネットワークに接続するステップと
を実行するように構成されることを特徴とするデバイス。
【請求項２】
前記ユーザ機器が前記パケットデータネットワークに接続するために経由する前記アンカゲートウェイによってサービス提供される前記エリアが前記データ転送ゲートウェイによってサービス提供される前記エリアと一致するかどうかを前記プロセッサが判定する前記ステップは、
前記アンカゲートウェイのホスト名と前記データ転送ゲートウェイのそれとを比較した結果に従って、前記アンカゲートウェイによってサービス提供される前記エリアが前記データ転送ゲートウェイによってサービス提供される前記エリアと一致するかどうかを判定することを含むことを特徴とすることを特徴とする請求項１に記載のデバイス。
【請求項３】
前記ユーザ機器が前記パケットデータネットワークに接続するために経由する前記アンカゲートウェイによってサービス提供される前記エリアが前記データ転送ゲートウェイによってサービス提供される前記エリアと一致するかどうかを前記プロセッサが判定する前記ステップは、
ローカルに記憶されたアンカゲートウェイリストに従って、前記アンカゲートウェイが前記ローカルのアンカゲートウェイリスト中にあるかどうかを判定することを含み、前記アンカゲートウェイが前記ローカルのアンカゲートウェイリストに示されている場合には、前記ユーザ機器が前記パケットデータネットワークに接続するために経由する前記アンカゲートウェイによってサービス提供されるエリアが、前記データ転送ゲートウェイによってサービス提供される前記エリアと一致すると判定されることを特徴とする請求項１に記載のデバイス。
【請求項４】
前記ユーザ機器が前記パケットデータネットワークに接続するために経由する前記アンカゲートウェイによってサービス提供される前記エリアが前記データ転送ゲートウェイによってサービス提供される前記エリアと一致しないと判定する前記ステップを実行した後、前記再接続インジケーションを前記ユーザ機器に送信する前記ステップを実行する前に、前記プロセッサは、
前記ユーザ機器の現在の音声ベアラが完全に解放されているかどうかを検出するステップをさらに実行し、
前記判定の結果が「いいえ」であるときに前記再接続インジケーションを前記プロセッサが前記ユーザ機器に送信するステップは、
前記ユーザ機器の前記現在の音声ベアラが完全に解放されていることが検出された場合に、前記再接続インジケーションを搬送する前記音声ＰＤＮ接続開放要求を前記ユーザ機器に送信することを含むことを特徴とする請求項１乃至３のいずれか一項に記載のデバイス。
【請求項５】
前記データ転送ゲートウェイはサービングゲートウェイＳＧＷであり、対応するアンカゲートウェイはパケットデータネットワークゲートウェイＰＧＷである、または前記データ転送ゲートウェイはＧｎ／Ｇｐ  ＳＧＳＮであり、前記対応するアンカゲートウェイはＧＧＳＮであることを特徴とする請求項１乃至４のいずれか一項に記載のデバイス。
【請求項６】
パケットデータネットワークとの接続を確立する方法であって、
ユーザ機器の位置が変化するときに、前記ユーザ機器がパケットデータネットワークに接続するために経由するアンカゲートウェイによってサービス提供されるエリアがデータ転送ゲートウェイによってサービス提供されるエリアと一致するかどうかを判定するステップと、
前記ユーザ機器が現在音声サービスを有すると判定し、前記判定の結果が「いいえ」であるときに、前記ユーザ機器の現在の音声ベアラが完全に解放されていることを条件として、再接続インジケーションを搬送する音声パケットデータネットワーク（ＰＤＮ）接続開放要求を前記ユーザ機器に送信するステップと、
前記ユーザ機器によって送信された音声ＰＤＮ接続の再接続要求を受信するステップと、
前記データ転送ゲートウェイによってサービス提供されるエリアと一致するエリアにサービスを提供するアンカゲートウェイを選択するステップと、
前記選択されたアンカゲートウェイを使用することによって前記ユーザ機器を前記パケットデータネットワークに接続するステップと
を含むことを特徴とする方法。
【請求項７】
前記ユーザ機器がパケットデータネットワークに接続するために経由するアンカゲートウェイによってサービス提供されるエリアがデータ転送ゲートウェイによってサービス提供されるエリアと一致するかどうかを判定する前記ステップが、
前記アンカゲートウェイのホスト名と前記データ転送ゲートウェイのそれとを比較した結果に従って、前記アンカゲートウェイによってサービス提供される前記エリアが前記データ転送ゲートウェイによってサービス提供される前記エリアと一致するかどうかを判定することを含むことを特徴とする請求項６に記載の方法。
【請求項８】
前記ユーザ機器がパケットデータネットワークに接続するために経由するアンカゲートウェイによってサービス提供されるエリアがデータ転送ゲートウェイによってサービス提供されるエリアと一致するかどうかを判定する前記ステップが、
ローカルに記憶されたアンカゲートウェイリストに従って、前記アンカゲートウェイが前記ローカルなアンカゲートウェイリスト中にあるかどうかを判定することを含み、前記アンカゲートウェイが前記ローカルのアンカゲートウェイリストに示されている場合には、前記ユーザ機器が前記パケットデータネットワークに接続するために経由する前記アンカゲートウェイによってサービス提供されるエリアが、前記データ転送ゲートウェイによってサービス提供される前記エリアと一致すると判定されることを特徴とする請求項６に記載の方法。
【請求項９】
前記ユーザ機器が前記パケットデータネットワークに接続するために経由する前記アンカゲートウェイによってサービス提供される前記エリアが前記データ転送ゲートウェイによってサービス提供される前記エリアと一致しないと判定した後、再接続インジケーションを搬送する音声ＰＤＮ接続開放要求を前記ユーザ機器に送信する前に、前記方法は、
前記ユーザ機器の現在の音声ベアラが完全に解放されているかどうかを検出するステップをさらに含み、
前記判定の結果が「いいえ」であるときに再接続インジケーションを前記ユーザ機器に送信する前記ステップは、
前記ユーザ機器の前記現在の音声ベアラが完全に解放されていることが検出された場合に、前記再接続インジケーションを搬送する音声ＰＤＮ接続開放要求を前記ユーザ機器に送信するステップを含むことを特徴とする請求項６乃至８のいずれか一項に記載の方法。
【請求項１０】
前記データ転送ゲートウェイはサービングゲートウェイＳＧＷであり、対応するアンカゲートウェイはパケットデータネットワークゲートウェイＰＧＷである、または前記データ転送ゲートウェイはＧｎ／Ｇｐ  ＳＧＳＮであり、前記対応するアンカゲートウェイはＧＧＳＮであることを特徴とする請求項６乃至９のいずれか一項に記載の方法。
【請求項１１】
請求項６乃至１０のいずれか一項に記載の方法をコンピュータに実行させるプログラムを記録したコンピュータ可読記憶媒体。
【発明の詳細な説明】
【技術分野】
【０００１】
本発明は、通信技術の分野に関し、詳細には、パケットデータネットワークとの接続を確立する装置、デバイスおよび方法に関する。
【背景技術】
【０００２】
ユーザ機器（Ｕｓｅｒ  Ｅｑｕｉｐｍｅｎｔ、ＵＥ）がシステムアーキテクチャエボリューション（Ｓｙｓｔｅｍ  Ａｒｃｈｉｔｅｃｔｕｒｅ  Ｅｖｏｌｕｔｉｏｎ、ＳＡＥ）／ロングタームエボリューション（Ｌｏｎｇ  Ｔｅｒｍ  Ｅｖｏｌｕｔｉｏｎ、ＬＴＥ）ネットワークのパケット交換（Ｐａｃｋｅｔ  Ｓｗｉｔｃｈ、ＰＳ）領域でボイスオーバインターネットプロトコル（Ｖｏｉｃｅ  ｏｖｅｒ  Ｉｎｔｅｒｎｅｔ  Ｐｒｏｔｏｃｏｌ、ＶＯＩＰ）サービスを実行しているときには、ＩＰマルチメディアサブシステム（ＩＰ  Ｍｕｌｔｉｍｅｄｉａ  Ｓｕｂｓｙｓｔｅｍ、ＩＭＳ）ネットワークに基づくＬＴＥ音声サービスは、ＶｏＬＴＥサービスと呼ばれる。このサービスは、独立したアクセスポイント名（Ａｃｃｅｓｓ  Ｐｏｉｎｔ  Ｎａｍｅ、ＡＰＮ）を有し、ＵＥは、対応するパケットデータネットワーク（Ｐａｃｋｅｔ  Ｄａｔａ  Ｎｅｔｗｏｒｋ、ＰＤＮ）接続を作成する。デフォルトのベアラは、ＱＣＩ５であり、セッション開始プロトコル（Ｓｅｓｓｉｏｎ  Ｉｎｉｔｉａｔｉｏｎ  Ｐｒｏｔｏｃｏｌ、ＳＩＰ）シグナリングを伝達するために使用される。ＵＥが音声サービスを有するときには、ポリシーコントロールアンドチャージング（Ｐｏｌｉｃｙ  Ｃｏｎｔｒｏｌ  ａｎｄ  Ｃｈａｒｇｉｎｇ、ＰＣＣ）アーキテクチャが、ネットワーク側をトリガして、音声を伝達する専用ベアラＱＣＩ１を作成する。
【０００３】
高速パケットアクセス（Ｈｉｇｈ  Ｓｐｅｅｄ  Ｐａｃｋｅｔ  Ａｃｃｅｓｓ、ＨＳＰＡ）ネットワークが展開された後、ＩＭＳネットワークに基づくＩＰ音声が徐々に適用され、この種の音声の適用分野は、一般にＶｏＨＳＰＡサービスと呼ばれる。ＨＳＰＡネットワークは、以前のＵＭＴＳ地上無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮ）をアップグレードすることによって形成される。コアネットワーク側のサービングＧＰＲＳサポートノード（Ｓｅｒｖｉｎｇ  ＧＰＲＳ  Ｓｕｐｐｏｒｔ  Ｎｏｄｅ、ＳＧＳＮ）は、サービングゲートウェイ（Ｓｅｒｖｉｎｇ  Ｇａｔｅｗａｙ、ＳＧＷ）に接続されたＳ４  ＳＧＳＮであってもよいし、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）に接続されたＧｎ／Ｇｐ  ＳＧＳＮであってもよい。
【０００４】
図１ａに示されるように、ＵＥがＬＴＥネットワークにアタッチされているとき、ＬＴＥネットワークのサービングネットワーク要素は、別個に、エリア１（Ａｒｅａ  １）にある移動管理エンティティ（Ｍｏｂｉｌｉｔｙ  Ｍａｎａｇｅｍｅｎｔ  Ｅｎｔｉｔｙ、ＭＭＥ）、ＳＧＷ、およびＰＤＮゲートウェイ（ＰＤＮＧａｔｅｗａｙ、ＰＧＷ）である。ＵＥがエリア１からエリア２（Ａｒｅａ  ２）に移動した後、ＰＧＷはアンカリングされ、変更されない。すなわち、ＵＥはエリア１からエリア２に移動するが、ＰＧＷは依然としてエリア１にアンカリングされている。
【０００５】
同様に、図１ｂに示されるように、ＵＥがＨＳＰＡネットワークにアタッチされているとき、ＨＳＰＡネットワークのサービングネットワーク要素は、別個に、エリア１にあるＳＧＳＮ、ＳＧＷ、およびＰＧＷである。ＵＥがエリア１からエリア２に移動した後、ＰＧＷはアンカリングされ、変更されない。すなわち、ＵＥはエリア１からエリア２に移動するが、ＰＧＷは依然としてエリア１にアンカリングされている。
【０００６】
同様に、図１ｃに示されるように、ＵＥがＨＳＰＡネットワークにアタッチされているとき、ＨＳＰＡネットワークのサービングネットワーク要素は、別個に、エリア１にあるＳＧＳＮおよびＧＧＳＮである。ＵＥがエリア１からエリア２に移動した後、ＧＧＳＮはアンカリングされ、変更されない。すなわち、ＵＥはエリア１からエリア２に移動するが、ＧＧＳＮは依然としてエリア１にアンカリングされている。
【０００７】
例えば、ＶｏＬＴＥ音声サービスでは、ＳＩＰシグナリングストリームおよび音声ストリームは、図１ａに第２の破線で表され、ＳＩＰシグナリングストリームおよび音声ストリームに迂回があり、これはＶｏＨＳＰＡサービスでも同じであり、それにより、ユーザの音声サービス体験に影響を及ぼしている。
【０００８】
一方、異なるパブリックランドモバイルネットワーク（Ｐｕｂｌｉｃ  Ｌａｎｄ  Ｍｏｂｉｌｅ  Ｎｅｔｗｏｒｋ、ＰＬＭＮ）間でローミングを行うときには、ユーザ機器は、依然として、元のＰＬＭＮのアンカゲートウェイを使用することによって音声サービスを実行している。しかし、一般に、異なる事業者同士は相互動作することはできない。したがって、ユーザ機器は、音声サービスを滑らかに実行することができず、このことも、ユーザの音声サービス体験に影響を及ぼす。
【発明の概要】
【課題を解決するための手段】
【０００９】
本発明の実施形態は、ユーザの音声サービス体験を改善するようにパケットデータネットワークとの接続を確立する装置、デバイスおよび方法を提供する。
【００１０】
第１の態様によれば、パケットデータネットワークとの接続を確立する装置であって、
ユーザ機器の位置が変化したことが検出されたときに、ユーザ機器がパケットデータネットワークに接続するために経由するアンカゲートウェイによってサービス提供されるエリアが、データ転送ゲートウェイによってサービス提供されるエリアと一致するかどうかを判定するように構成された第１の判定ユニットと、
判定の結果が「いいえ」であるときに、再接続インジケーションを搬送するパケットデータネットワーク接続解放要求をユーザ機器に送信するように構成された送信ユニットと、
ユーザ機器によって送信されたパケットデータネットワーク再接続要求を受信するように構成された受信ユニットと、
データ転送ゲートウェイによってサービス提供されるエリアと一致するエリアにサービスを提供するアンカゲートウェイを選択するように構成された選択ユニットと、
選択されたアンカゲートウェイを使用することによってユーザ機器をパケットデータネットワークに接続するように構成された接続ユニットとを含む装置が提供される。
【００１１】
第１の可能な実施方法では、第１の判定ユニットは、アンカゲートウェイのホスト名とデータ転送ゲートウェイのそれとの比較の結果に従って、アンカゲートウェイによってサービス提供されるエリアがデータ転送ゲートウェイによってサービス提供されるエリアと一致するかどうかを判定するように特に構成される。
【００１２】
第１の態様に関連して、第２の可能な実施方法では、第１の判定ユニットは、ローカルなアンカゲートウェイリストに従って、アンカゲートウェイがローカルなアンカゲートウェイリスト中にあるかどうかを判定するように特に構成される。
【００１３】
第１の態様、または第１の態様の第１の可能な実施方法、または第１の態様の第２の可能な実施方法に関連して、第３の可能な実施方法では、この装置は、
ユーザ機器が現在、音声サービスを有しているかどうかを判定するように構成された第２の判定ユニットと、
第２の判定ユニットの結果が「はい」であるときに、ユーザ機器の現在の音声ベアラが完全に解放されているかどうかを検出するように構成された検出ユニットとをさらに含み、
送信ユニットは、検出ユニットがユーザ機器の現在の音声ベアラが完全に解放されていることを検出した場合に、再接続インジケーションを搬送するパケットデータネットワーク接続解放要求をユーザ機器に送信するように特に構成される。
【００１４】
第１の態様、または第１の態様の第１の可能な実施方法、または第１の態様の第２の可能な実施方法、または第１の態様の第３の可能な実施方法に関連して、第４の可能な実施方法では、データ転送ゲートウェイはサービングゲートウェイＳＧＷであり、対応するアンカゲートウェイはパケットデータネットワークゲートウェイＰＧＷである、またはデータ転送ゲートウェイはＧｎ／Ｇｐ  ＳＧＳＮであり、対応するアンカゲートウェイはＧＧＳＮである。
【００１５】
第２の態様によれば、パケットデータネットワークとの接続を確立する装置であって、
ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信するように構成された送信ユニットと、
ユーザ機器によって送信されたパケットデータネットワーク再接続要求を受信するように構成された受信ユニットと、
第２のＰＬＭＮのアンカゲートウェイを選択するように構成された選択ユニットと、
選択されたアンカゲートウェイを使用することによってユーザ機器をパケットデータネットワークに接続するように構成された接続ユニットとを含む装置が提供される。
【００１６】
第１の可能な実施方法では、アンカゲートウェイはパケットデータネットワークゲートウェイＰＧＷまたはＧＧＳＮである。
【００１７】
第３の態様によれば、入力装置と、出力装置と、メモリと、プロセッサとを含む、パケットデータネットワークとの接続を確立するデバイスであって、
プロセッサが、
ユーザ機器の位置が変化したことが検出されたときに、ユーザ機器がパケットデータネットワークに接続するために経由するアンカゲートウェイによってサービス提供されるエリアが、データ転送ゲートウェイによってサービス提供されるエリアと一致するかどうかを判定するステップと、
判定の結果が「いいえ」であるときに、再接続インジケーションを搬送するパケットデータネットワーク接続解放要求をユーザ機器に送信するステップと、
ユーザ機器によって送信されたパケットデータネットワーク再接続要求を受信するステップと、
データ転送ゲートウェイによってサービス提供されるエリアと一致するエリアにサービスを提供するアンカゲートウェイを選択するステップと、
選択されたアンカゲートウェイを使用することによってユーザ機器をパケットデータネットワークに接続するステップとを実行するように構成されるデバイスが提供される。
【００１８】
第１の可能な実施方法では、ユーザ機器がパケットデータネットワークに接続するために経由するアンカゲートウェイによってサービス提供されるエリアがデータ転送ゲートウェイによってサービス提供されるエリアと一致するかどうかをプロセッサが判定するステップは、
アンカゲートウェイのホスト名とデータ転送ゲートウェイのそれとを比較した結果に従って、アンカゲートウェイによってサービス提供されるエリアがデータ転送ゲートウェイによってサービス提供されるエリアと一致するかどうかを判定することを含む。
【００１９】
第３の態様に関連して、第２の可能な実施方法では、ユーザ機器がパケットデータネットワークに接続するために経由するアンカゲートウェイによってサービス提供されるエリアがデータ転送ゲートウェイによってサービス提供されるエリアと一致するかどうかをプロセッサが判定するステップは、
ローカルなアンカゲートウェイリストに従って、アンカゲートウェイがローカルなアンカゲートウェイリスト中にあるかどうかを判定することを含む。
【００２０】
第３の態様、または第３の態様の第１の可能な実施方法、または第３の態様の第２の可能な実施方法に関連して、第３の可能な実施方法では、ユーザ機器がパケットデータネットワークに接続するために経由するアンカゲートウェイによってサービス提供されるエリアがデータ転送ゲートウェイによってサービス提供されるエリアと一致しないと判定するステップを実行した後、再接続インジケーションを搬送するパケットデータネットワーク接続解放要求をユーザ機器に送信するステップを実行する前に、プロセッサは、
ユーザ機器が現在、音声サービスを有しているかどうかを判定するステップと、
判定の結果が「はい」である場合に、ユーザ機器の現在の音声ベアラが完全に解放されているかどうかを検出するステップとをさらに実行し、
判定の結果が「いいえ」であるときに再接続インジケーションを搬送するパケットデータネットワーク接続解放要求をプロセッサがユーザ機器に送信するステップは、
ユーザ機器の現在の音声ベアラが完全に解放されていることが検出された場合に、再接続インジケーションを搬送するパケットデータネットワーク接続解放要求をユーザ機器に送信することを含む。
【００２１】
第３の態様、または第３の態様の第１の可能な実施方法、または第３の態様の第２の可能な実施方法、または第３の態様の第３の可能な実施方法に関連して、第４の可能な実施方法では、データ転送ゲートウェイはサービングゲートウェイＳＧＷであり、対応するアンカゲートウェイはパケットデータネットワークゲートウェイＰＧＷである、またはデータ転送ゲートウェイはＧｎ／Ｇｐ  ＳＧＳＮであり、対応するアンカゲートウェイはＧＧＳＮである。
【００２２】
第４の態様によれば、入力装置と、出力装置と、メモリと、プロセッサとを含むパケットデータネットワークとの接続を確立するデバイスであって、
プロセッサが、
ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信するステップと、
ユーザ機器によって送信されたパケットデータネットワーク再接続要求を受信するステップと、
第２のＰＬＭＮのアンカゲートウェイを選択するステップと、
選択されたアンカゲートウェイを使用することによってユーザ機器をパケットデータネットワークに接続するステップとを実行するように構成されるデバイスが提供される。
【００２３】
第１の可能な実施方法では、アンカゲートウェイは、パケットデータネットワークゲートウェイＰＧＷまたはＧＧＳＮである。
【００２４】
第５の態様によれば、パケットデータネットワークとの接続を確立する方法であって、
ユーザ機器の位置が変化したことが検出されたときに、ユーザ機器がパケットデータネットワークに接続するために経由するアンカゲートウェイによってサービス提供されるエリアがデータ転送ゲートウェイによってサービス提供されるエリアと一致するかどうかを判定するステップと、
判定の結果が「いいえ」であるときに、再接続インジケーションを搬送するパケットデータネットワーク接続解放要求をユーザ機器に送信するステップと、
ユーザ機器によって送信されたパケットデータネットワーク再接続要求を受信するステップと、
データ転送ゲートウェイによってサービス提供されるエリアと一致するエリアにサービスを提供するアンカゲートウェイを選択するステップと、
選択されたアンカゲートウェイを使用することによってユーザ機器をパケットデータネットワークに接続するステップとを含む方法が提供される。
【００２５】
第１の可能な実施方法では、ユーザ機器がパケットデータネットワークに接続するために経由するアンカゲートウェイによってサービス提供されるエリアがデータ転送ゲートウェイによってサービス提供されるエリアと一致するかどうかを判定することは、
アンカゲートウェイのホスト名とデータ転送ゲートウェイのそれとを比較した結果に従って、アンカゲートウェイによってサービス提供されるエリアがデータ転送ゲートウェイによってサービス提供されるエリアと一致するかどうかを判定することを含む。
【００２６】
第５の態様に関連して、第２の可能な実施方法では、ユーザ機器がパケットデータネットワークに接続するために経由するアンカゲートウェイによってサービス提供されるエリアがデータ転送ゲートウェイによってサービス提供されるエリアと一致するかどうかを判定することは、
ローカルなアンカゲートウェイリストに従って、アンカゲートウェイがローカルなアンカゲートウェイリスト中にあるかどうかを判定することを含む。
【００２７】
第５の態様、または第５の態様の第１の可能な実施方法、または第５の態様の第２の可能な実施方法に関連して、第３の可能な実施方法では、ユーザ機器がパケットデータネットワークに接続するために経由するアンカゲートウェイによってサービス提供されるエリアがデータ転送ゲートウェイによってサービス提供されるエリアと一致しないと判定した後、再接続インジケーションを搬送するパケットデータネットワーク接続解放要求をユーザ機器に送信する前に、方法は、
ユーザ機器が現在、音声サービスを有しているかどうかを判定することと、
判定の結果が「はい」である場合に、ユーザ機器の現在の音声ベアラが完全に解放されているかどうかを検出することとをさらに含み、
判定の結果が「いいえ」であるときに再接続インジケーションを搬送するパケットデータネットワーク接続解放要求をユーザ機器に送信することは、
ユーザ機器の現在の音声ベアラが完全に解放されていることが検出された場合に、再接続インジケーションを搬送するパケットデータネットワーク接続解放要求をユーザ機器に送信することを含む。
【００２８】
第５の態様、または第５の態様の第１の可能な実施方法、または第５の態様の第２の可能な実施方法、または第５の態様の第３の可能な実施方法に関連して、第４の可能な実施方法では、データ転送ゲートウェイはサービングゲートウェイＳＧＷであり、対応するアンカゲートウェイはパケットデータネットワークゲートウェイＰＧＷである、またはデータ転送ゲートウェイはＧｎ／Ｇｐ  ＳＧＳＮであり、対応するアンカゲートウェイはＧＧＳＮである。
【００２９】
第６の態様によれば、パケットデータネットワークとの接続を確立する方法であって、
ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信することと、
ユーザ機器によって送信されたパケットデータネットワーク再接続要求を受信することと、
第２のＰＬＭＮのアンカゲートウェイを選択することと、
選択されたアンカゲートウェイを使用することによってユーザ機器をパケットデータネットワークに接続することとを含む方法が提供される。
【００３０】
第１の可能な実施方法では、アンカゲートウェイはパケットデータネットワークゲートウェイＰＧＷまたはＧＧＳＮである。
【００３１】
ユーザの音声サービス体験は、本発明の実施形態で提供されるパケットデータネットワークとの接続を確立する装置、デバイスおよび方法の技術的解決策を使用することによって改善され得る。
【図面の簡単な説明】
【００３２】
本発明の実施形態または従来技術の技術的解決策をより明白に説明するために、以下、実施形態を説明するために必要とされる添付の図面を簡単に紹介する。以下の説明における添付の図面は、単に本発明のいくつかの実施形態を示すだけであり、当業者なら、創造的な努力無しにこれらの添付の図面から他の図面を導き出すことができることは明らかである。
【図１ａ】ユーザ機器の位置が変化したときのＶｏＬＴＥサービスの例の概略流れ図である。
【図１ｂ】ユーザ機器の位置が変化したときのＶｏＨＳＰＡサービスの例の概略流れ図である。
【図１ｃ】ユーザ機器の位置が変化したときのＶｏＨＳＰＡサービスの別の例の概略流れ図である。
【図２】本発明によるパケットデータネットワークとの接続を確立する装置の実施形態の概略構造図である。
【図３】本発明によるパケットデータネットワークとの接続を確立する装置の別の実施形態の概略構造図である。
【図４】本発明によるパケットデータネットワークとの接続を確立する装置のさらに別の実施形態の概略構造図である。
【図５】本発明によるパケットデータネットワークとの接続を確立するデバイスの実施形態の概略構造図である。
【図６】本発明によるパケットデータネットワークとの接続を確立するデバイスの別の実施形態の概略構造図である。
【図７】本発明によるパケットデータネットワークとの接続を確立する方法の実施形態の流れ図である。
【図８】本発明によるパケットデータネットワークとの接続を確立する方法の別の実施形態の流れ図である。
【図９】本発明によるパケットデータネットワークとの接続を確立する方法のさらに別の実施形態の流れ図である。
【発明を実施するための形態】
【００３３】
以下は、本発明の実施形態の添付の図面を参照して、本発明の実施形態における技術的解決策を明快かつ完全に説明するものである。説明される実施形態は、本発明の実施形態の全てではなく、単なる一部であることは明らかである。本発明の実施形態に基づいて創造的な努力無しに当業者によって得られる他の全ての実施形態は、本発明の保護範囲に入るものとする。
【００３４】
図２は、本発明によるパケットデータネットワークとの接続を確立する装置の実施形態の概略構造図である。図２に示されるように、装置１０００は、第１の判定ユニット１１、送信ユニット１２、受信ユニット１３、選択ユニット１４および接続ユニット１５を含む。
【００３５】
第１の判定ユニット１１は、ユーザ機器の位置が変化したことが検出されたときに、そのユーザ機器がパケットデータネットワークに接続するために経由するアンカゲートウェイによってサービス提供されるエリアが、データ転送ゲートウェイによってサービス提供されるエリアと一致するかどうかを判定するように構成される。
【００３６】
ユーザ機器の位置が変化したとき、例えば、ユーザ機器が、あるエリアの有効範囲から別のエリアの有効範囲に移動したときには、第１の判定ユニット１１は、そのユーザ機器がパケットデータネットワークに接続するために経由するアンカゲートウェイによってサービス提供されるエリアが、データ転送ゲートウェイによってサービス提供されるエリアと一致するかどうかを判定する必要がある。一致しない場合には、そのユーザ機器が音声サービスを開始したときに、従来技術のシグナリングストリームおよび音声ストリームの迂回が起こり、これが、ユーザの音声サービス体験に影響を及ぼす。
【００３７】
アンカゲートウェイによってサービス提供されるエリアがデータ転送ゲートウェイによってサービス提供されるエリアと一致するかどうかは、アンカゲートウェイのホスト名がデータ転送ゲートウェイのそれと一致するかどうかを比較することによって判定され得、この場合、一致する場合には、両者によってサービス提供されるエリアが一致する。または、ローカルに記憶されたアンカゲートウェイリストを探索することによって判定され得る。パケットデータネットワークに現在接続されているアンカゲートウェイがローカルなアンカゲートウェイリスト中にない場合には、アンカゲートウェイによってサービス提供されるエリアが、データ転送ゲートウェイによってサービス提供されるエリアと一致しないとみなされる。それ以外の場合には、両者によってサービス提供されるエリアが一致する。
【００３８】
送信ユニット１２は、判定の結果が「いいえ」であるときに、再接続インジケーションを搬送するパケットデータネットワーク接続解放要求をユーザ機器に送信するように構成される。
【００３９】
第１の判定ユニット１１の判定の結果が、ユーザ機器がパケットデータネットワークに接続するために経由するアンカゲートウェイによってサービス提供されるエリアが、データ転送ゲートウェイによってサービス提供されるエリアと一致しないというものであるときには、送信ユニット１２は、パケットデータネットワーク接続解放要求をユーザ機器に送信する必要があり、この解放要求は、再接続インジケーションを搬送する。
【００４０】
受信ユニット１３は、ユーザ機器によって送信されたパケットデータネットワーク再接続要求を受信するように構成される。
【００４１】
受信ユニット１３は、ユーザ機器によって再送信されたパケットデータネットワーク再接続要求を受信する。
【００４２】
選択ユニット１４は、データ転送ゲートウェイによってサービス提供されるエリアと一致するエリアにサービスを提供するアンカゲートウェイを選択するように構成される。
【００４３】
接続ユニット１５は、データ転送ゲートウェイによってサービス提供されるエリアと一致するエリアにサービスを提供するアンカゲートウェイを使用することによってユーザ機器をパケットデータネットワークに接続するように構成される。
【００４４】
受信ユニット１３が、ユーザ機器によって送信されたパケットデータネットワーク再接続要求を受信すると、選択ユニット１４が、データ転送ゲートウェイによってサービス提供されるエリアと一致するエリアにサービスを提供するアンカゲートウェイを選択し、次いで、接続ユニット１５が、選択されたアンカゲートウェイを使用することによってユーザ機器をパケットデータネットワークに接続し、これにより、シグナリングストリームおよび音声ストリームの迂回を回避することができ、ユーザの音声サービス体験を改善することができる。
【００４５】
本発明のこの実施形態で提供されるパケットデータネットワークとの接続を確立する装置によれば、シグナリングストリームおよび音声ストリームの迂回が回避され得、ユーザの音声サービス体験が改善される。
【００４６】
図３は、本発明によるパケットデータネットワークとの接続を確立する装置の別の実施形態の概略構造図である。図３に示されるように、装置２０００は、第１の判定ユニット２１、第２の判定ユニット２２、検出ユニット２３、送信ユニット２４、受信ユニット２５、選択ユニット２６および接続ユニット２７を含む。
【００４７】
第１の判定ユニット２１は、ユーザ機器の位置が変化したことが検出されたときに、そのユーザ機器がパケットデータネットワークに接続するために経由するアンカゲートウェイによってサービス提供されるエリアが、データ転送ゲートウェイによってサービス提供されるエリアと一致するかどうかを判定するように構成される。
【００４８】
本発明のこの実施形態において、ＶｏＬＴＥサービスでは、装置２０００は、ＭＭＥとすることができ、対応するデータ転送ゲートウェイは、ＳＧＷとすることができ、アンカゲートウェイは、ＰＧＷとすることができる。ＶｏＨＳＰＡサービスでは、装置２０００は、Ｓ４  ＳＧＳＮまたはＧｎ／Ｇｐ  ＳＧＳＮとすることができ、Ｓ４  ＳＧＳＮに対応するものとして、データ転送ゲートウェイは、ＳＧＷとすることができ、アンカゲートウェイは、ＰＧＷとすることができ、Ｇｎ／Ｇｐ  ＳＧＳＮに対応するものとして、データ転送ゲートウェイは、Ｇｎ／Ｇｐ  ＳＧＳＮとすることができ、アンカゲートウェイは、ＧＧＳＮとすることができる。
【００４９】
例えば、ＵＥは、エリア１でＬＴＥネットワークにアタッチされ、ＩＭＳコアなどのパケットデータネットワークとの接続を確立し、その接続が通過するアンカゲートウェイは、エリア１のＰＧＷである。ここで、ＵＥは、エリア１からエリア２に移動し、ＭＭＥは、ＵＥが実際にアクセスしているトラッキングエリアに従ってＳＧＷを選択し、ＭＭＥは、ＵＥの現在のＳＧＷのホスト名と現在のＰＧＷのホスト名とを比較する。ホスト名が一致する場合には、ＳＧＷおよびＰＧＷによってサービス提供されるエリアは同じであり、ＭＭＥは、ＵＥのＰＧＷに対して再選択動作を実行する必要はない。例えば、ＳＧＷのホスト名は、ｔｏｐｏｎ．ｓ５．ｇｗ３２．ｃａｌｉｆｏｒｎｉａ．ｗｅｓｔ．ｅｘａｍｐｌｅ．ｃｏｍであり、ＰＧＷのホスト名は、ｔｏｐｏｎ．ｓ５．ｇｗ３１．ｃａｌｉｆｏｒｎｉａ．ｗｅｓｔ．ｅｘａｍｐｌｅ．ｃｏｍであり、したがって、この２つのゲートウェイは、同じエリアｃａｌｉｆｏｒｎｉａ．ｗｅｓｔ．ｅｘａｍｐｌｅ．ｃｏｍに属している。
【００５０】
ＭＭＥは、上記のホスト名が位置づけられているエリアに加えてＭＭＥ内に構成されたローカルなＰＧＷリストに従って、ＳＧＷとＰＧＷとが同じエリアに属するかどうかを判定することができる。すなわち、ローカルに構成されたＰＧＷリストのある範囲に含まれない全てのＰＧＷは、現在のエリアのＰＧＷではないとみなされる。
【００５１】
第２の判定ユニット２２は、ユーザ機器が現在、音声サービスを有しているかどうかを判定するように構成される。
【００５２】
検出ユニット２３は、第２の判定ユニットの結果が「はい」であるときに、ユーザ機器の現在の音声ベアラが完全に解放されているかどうかを判定するように構成される。
【００５３】
送信ユニット２４は、検出ユニットがユーザ機器の現在の音声ベアラが完全に解放されていることを検出した場合に、再接続インジケーションを搬送するパケットデータネットワーク接続解放要求をユーザ機器に送信するように構成される。
【００５４】
上記の例によれば、ＳＧＷおよびＰＧＷが位置づけられているエリアが異なる場合には、ＭＭＥは、ＵＥが現在、音声サービスを有しているかどうか（すなわちＭＭＥが音声ＰＤＮ接続のＱＣ１ベアラを有するかどうか）を判定する。ＵＥが対応するＶｏＬＴＥ音声サービスを有している場合には、ＵＥの音声サービスベアラが完全に解放された後で、ＭＭＥは、音声ＰＤＮ接続解放を開始し、ここで、解放要求は再接続インジケーションを搬送している。ＵＥが対応するＶｏＬＴＥ音声サービスを有していない場合には、ＭＭＥは、音声ＰＤＮ接続解放を直接開始し、音声ＰＤＮ接続を再確立するようにＵＥをトリガする。
【００５５】
受信ユニット２５は、ユーザ機器によって送信されたパケットデータネットワーク再接続要求を受信するように構成される。
【００５６】
上記の例によれば、ＭＭＥによって送信された音声ＰＤＮ接続解放要求を受信した後で、ＵＥは、音声ＰＤＮ接続の再接続要求を開始する。
【００５７】
選択ユニット２６は、データ転送ゲートウェイによってサービス提供されるエリアと一致するエリアにサービスを提供するアンカゲートウェイを選択するように構成される。
【００５８】
接続ユニット２７は、選択されたアンカゲートウェイを使用することによってユーザ機器をパケットデータネットワークに接続するように構成される。
【００５９】
上記の例によれば、ＵＥの音声ＰＤＮ接続の再接続要求を受信した後で、ＭＭＥは、現在のＳＧＷと同じエリア内にあるＰＧＷをＵＥにサービスを提供するために選択する。
【００６０】
Ｓ４  ＳＧＳＮによって制御されるＶｏＨＳＰＡサービスでは、サービスの手続きは、以下の通りである。
【００６１】
１．ＵＥが、エリア１でＬＴＥネットワークにアタッチされ、音声パケットデータプロトコル（Ｐａｃｋｅｔ  Ｄａｔａ  Ｐｒｏｔｏｃｏｌ、ＰＤＰ）接続を作成する。音声ＰＤＰ接続のアンカゲートウェイは、エリア１のＰＧＷである。
【００６２】
２．ＵＥが、エリア１からエリア２に移動し、ＳＧＳＮが、ＵＥが実際にアクセスしているトラッキングエリアに従ってＳＧＷを選択し、ＳＧＳＮが、ＵＥの現在のＳＧＷのホスト名と現在のＰＧＷのホスト名とを比較する。エリアが同じ場合には、ＳＧＳＮは、ＵＥのＰＧＷに対して再選択動作を実行する必要はない。例えば、ＳＧＷのホスト名は、ｔｏｐｏｎ．ｓ５．ｇｗ３２．ｃａｌｉｆｏｒｎｉａ．ｗｅｓｔ．ｅｘａｍｐｌｅ．ｃｏｍであり、ＰＧＷのホスト名は、ｔｏｐｏｎ．ｓ５．ｇｗ３１．ｃａｌｉｆｏｒｎｉａ．ｗｅｓｔ．ｅｘａｍｐｌｅ．ｃｏｍであり、したがって、この２つのゲートウェイは、同じエリアｃａｌｉｆｏｒｎｉａ．ｗｅｓｔ．ｅｘａｍｐｌｅ．ｃｏｍに属している。
【００６３】
３．ＳＧＷとＰＧＷとが位置づけられているエリアが異なる場合には、ＳＧＳＮは、ＵＥが現在、音声サービスを有しているかどうか（すなわち、ＳＧＳＮが音声サービスに対応する２次的なＰＤＰを有するかどうか）を判定する。ＵＥが対応するＶｏＨＳＰＡ音声サービスを有している場合には、ＵＥの音声サービスＰＤＰが完全に解放された後で、ＳＧＳＮは、音声ＰＤＰ解放を開始し、ここで、解放要求は、再接続インジケーションを搬送している。ＳＧＳＮによって送信された音声ＰＤＰ解放要求を受信した後で、ＵＥは、音声ＰＤＰ再接続要求を開始する。ＵＥが対応するＶｏＨＳＰＡ音声サービスを有していない場合には、ＳＧＳＮは、音声ＰＤＰ接続解放を直接開始し、音声ＰＤＰ接続を再開するようにＵＥをトリガする。
【００６４】
ＳＧＳＮは、上記のホスト名が位置づけられているエリアに加えてＳＧＳＮ内に構成されたローカルなＰＧＷリストに従って、ＳＧＷとＰＧＷとが同じエリアに属するかどうかを判定することができる。すなわち、ローカルに構成されたＰＧＷリストのある範囲に含まれない全てのＰＧＷは、現在のエリアのＰＧＷではないとみなされる。
【００６５】
４．ＵＥの音声ＰＤＰ接続の再接続要求を受信した後で、ＳＧＳＮが、現在のＳＧＷと同じエリア内にあるＰＧＷをＵＥにサービスを提供するために選択する。
【００６６】
Ｇｎ／Ｇｐ  ＳＧＳＮによって制御されるＶｏＨＳＰＡサービスでは、サービスの手続きは、以下の通りである。
【００６７】
ＵＥがエリア１の有効範囲からエリア２の有効範囲に移動した後で、Ｇｎ／Ｇｐ  ＳＧＳＮは、現在選択されているＳＧＳＮとＧＧＳＮとが同じエリアに属するかどうかを判定する。ＳＧＳＮとＧＧＳＮとが同じエリア内になく、ＵＥが現在、ＶｏＨＳＰＡ音声サービスを有していない場合には、ＳＧＳＮは、ＵＥの音声ＰＤＰ削除を開始し、音声ＰＤＰを再確立するようにＵＥをトリガする。音声ＰＤＰを再確立するプロセスにおいて、ＳＧＳＮは、ＳＧＳＮと同じエリア内にあるＧＧＳＮをＵＥにサービスを提供するために選択する。以上の処理が完了された後で、ＵＥは、エリア２に移動した後でエリア２のＧＧＳＮに登録し、ＵＥは、エリア２のＧＧＳＮによってサービス提供される。
【００６８】
Ｓ４  ＳＧＳＮのシナリオとの違いは、以下の通りである。すなわち、Ｇｎ／Ｇｐ  ＳＧＳＮは、ホスト名を使用することによってＳＧＳＮとＧＧＳＮとが同じエリアに属するかどうかを判定することはできず、Ｇｎ／Ｇｐ  ＳＧＳＮ内に構成されたローカルなＧＧＳＮリストを使用してのみ、ＧＧＳＮがそのローカルなリスト内にあるかどうかを判定することができる。
【００６９】
本発明のこの実施形態で提供されるパケットデータネットワークとの接続を確立する装置によれば、アンカゲートウェイによってサービス提供されるエリアがデータ転送ゲートウェイによってサービス提供されるエリアと一致させられるので、シグナリングストリームおよび音声ストリームの迂回が回避されることができるようになり、これがユーザの音声サービス体験を改善し、また、音声サービスのトラフィックローカリゼーションが保証されることができるので、音声サービスの呼の遅延が低減され、音声サービス確立の成功率が増加されるようになる。
【００７０】
図４は、本発明によるパケットデータネットワークとの接続を確立する装置のさらに別の実施形態の概略構造図である。図４に示されるように、装置３０００は、
ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信するように構成された送信ユニット３１と、
ユーザ機器によって送信されたパケットデータネットワーク再接続要求を受信するように構成された受信ユニット３２と、
第２のＰＬＭＮのアンカゲートウェイを選択するように構成された選択ユニット３３と、
選択されたアンカゲートウェイを使用することによってユーザ機器をパケットデータネットワークに接続するように構成された接続ユニット３４とを含む。
【００７１】
ユーザ機器が異なる事業者間で移動する、すなわち１つのＰＬＭＮから別のＰＬＭＮにローミングするときには、送信ユニット３１は、ユーザ機器にパケットデータネットワーク接続解放要求を送信する必要があり、この要求が、再接続インジケーションを搬送している。そうでなければ、移動後に、ユーザ機器は、元のアンカゲートウェイを使用することによってパケットデータネットワークに接続することができなくなることがあり、これが、ユーザ機器のＶｏＬＴＥまたはＶｏＨＳＰＡ音声サービスに影響を及ぼす。パケットデータネットワーク接続解放要求を受信した後で、ユーザ機器は、パケットデータネットワーク再接続要求を受信ユニット３２に送信する。受信ユニット３２がユーザ機器によって送信されたパケットデータネットワーク再接続要求を受信した後で、選択ユニット３３は、ユーザ機器がローミングする先のＰＬＭＮのアンカゲートウェイを選択し、接続ユニット３４は、選択されたアンカゲートウェイを使用することによってユーザ機器をパケットデータネットワークに接続して、ユーザ機器がそれのＶｏＬＴＥまたはＶｏＨＳＰＡ音声サービスをうまく実行することができるようにする。
【００７２】
ＭＭＥによって制御されるＶｏＬＴＥ音声サービスは、例として使用される。ＵＥが１つのＰＬＭＮの有効範囲から別のＰＬＭＮの有効範囲にローミングした後で、ＵＥが現在登録しているＭＭＥは、ローミングしているエリア内でアクセスすることができるＵＥが、ＩＭＳ  ＰＤＮ接続リソ−スを有するかどうかを判定する。ＩＭＳ  ＰＤＮ接続リソ−スがあり、現在のＰＬＭＮがローミングしているユーザのＶｏＬＴＥサービスをサポートしている場合には、ＭＭＥは、ＩＭＳ  ＰＤＮ接続削除要求を開始するメッセージを使用することによって、ＩＭＳ  ＰＤＮ接続を再確立するようにＵＥに命令する。ＵＥによってＩＭＳ  ＰＤＮ接続を再確立するプロセスでは、ＭＭＥは、ローミングしているユーザについて、ＵＥにサービスを提供するローカルなＰＧＷを選択する。具体的な動作は、以下の通りである。
【００７３】
１．ＵＥが、ＰＬＭＮ１ネットワークにアタッチされ、音声ＰＤＮ接続を作成する。音声ＰＤＮ接続のアンカゲートウェイは、ＰＬＭＮ１のＰＧＷである。
【００７４】
２．ＵＥが、ＰＬＭＮ１からＰＬＭＮ２にローミングし、ＭＭＥが、ＵＥについて、ローカルなＰＬＭＮのＳＧＷ２を選択する。
【００７５】
３．ＵＥが新たなＰＬＭＮにローミングした後で、ＭＭＥが、ＵＥがＰＬＭＮ１からＰＬＭＮ２ネットワークにローミングしたと判定する。ＵＥが現在、ＩＭＳ  ＰＤＮ接続を有しており、ＰＬＭＮ２がローミングしているユーザのＶｏＬＴＥサービスをサポートしている場合には、ＭＭＥは、ＵＥのＩＭＳ  ＰＤＮ接続を解放し、ＩＭＳ  ＰＤＮ接続を再作成するようにＵＥに命令する。
【００７６】
４．ＵＥの音声ＰＤＮ接続確立要求を受信した後で、ＭＭＥが、現在のＰＬＭＮのＰＧＷを選択する。
【００７７】
ＳＧＳＮによって制御されるＶｏＬＴＥ音声サービスは、別の例として使用される。ＵＥが１つのＰＬＭＮの有効範囲から別のＰＬＭＮの有効範囲にローミングした後で、ＵＥが現在登録しているＳＧＳＮは、ローミングしているエリア内でアクセスすることができるＵＥが、ＩＭＳ  ＰＤＰリソ−スを有するかどうかを判定する。ＩＭＳ  ＰＤＰ接続リソ−スが存在し、現在のＰＬＭＮネットワークがローミングしているユーザのＶｏＬＴＥサービスをサポートしている場合には、ＳＧＳＮは、ＩＭＳ  ＰＤＰ削除要求を開始するメッセージを使用することによって、ＩＭＳ  ＰＤＰ接続を再確立するようにＵＥに命令する。ＵＥによってＩＭＳ  ＰＤＰ接続を再確立するプロセスでは、ＳＧＳＮは、ローミングしているユーザについて、ＵＥにサービスを提供するローカルなＳＧＳＮを選択する。
【００７８】
本発明のこの実施形態で提供されるパケットデータネットワークとの接続を確立する装置によれば、異なるパブリックランドモバイルネットワーク間でローミングするときに、ユーザ機器は、音声サービスをうまく実行することができ、これが、ユーザの音声サービス体験を改善する。
【００７９】
図５は、本発明によるパケットデータネットワークとの接続を確立するデバイスの実施形態の概略構造図である。図５に示されるように、デバイス４０００は、
入力装置４１、出力装置４２、メモリ４３およびプロセッサ４４を含む（監視デバイス中のプロセッサ４４の数は１または複数とすることができ、図５では例として１つのプロセッサが使用されている）。本発明のいくつかの実施形態では、入力装置４１、出力装置４２、メモリ４４３およびプロセッサ４４は、バスを使用することによって、または別の方法で、互いに接続され得る。それらがバスを使用することによって互いに接続されることが、図５では例として使用されている。
【００８０】
メモリ３３は、プログラムコードのグループを記憶し、プロセッサ４４は、以下の動作を実行するようにメモリ３３に記憶されたプログラムコードを呼び出すように構成される。
【００８１】
ユーザ機器の位置が変化したことが検出されたときに、そのユーザ機器がパケットデータネットワークに接続するために経由するアンカゲートウェイによってサービス提供されるエリアが、データ転送ゲートウェイによってサービス提供されるエリアと一致するかどうかを判定する。
【００８２】
判定の結果が「いいえ」であるときに、再接続インジケーションを搬送するパケットデータネットワーク接続解放要求をユーザ機器に送信する。
【００８３】
ユーザ機器によって送信されたパケットデータネットワーク再接続要求を受信する。
【００８４】
第２のＰＬＭＮのアンカゲートウェイを選択する。
【００８５】
選択されたアンカゲートウェイを使用することによってユーザ機器をパケットデータネットワークに接続する。
【００８６】
本発明のいくつかの実施形態では、ユーザ機器がパケットデータネットワークに接続するために経由するアンカゲートウェイによってサービス提供されるエリアがデータ転送ゲートウェイによってサービス提供されるエリアと一致するかどうかをプロセッサ４４が判定するステップは、
アンカゲートウェイのホスト名とデータ転送ゲートウェイのそれとを比較した結果に従って、アンカゲートウェイによってサービス提供されるエリアがデータ転送ゲートウェイによってサービス提供されるエリアと一致するかどうかを判定することを含む。
【００８７】
本発明のいくつかの実施形態では、ユーザ機器がパケットデータネットワークに接続するために経由するアンカゲートウェイによってサービス提供されるエリアがデータ転送ゲートウェイによってサービス提供されるエリアと一致するかどうかをプロセッサ４４が判定するステップは、
ローカルなアンカゲートウェイリストに従って、そのアンカゲートウェイがローカルなアンカゲートウェイリスト中にあるかどうかを判定することを含む。
【００８８】
本発明のいくつかの実施形態では、ユーザ機器がパケットデータネットワークに接続するために経由するアンカゲートウェイによってサービス提供されるエリアがデータ転送ゲートウェイによってサービス提供されるエリアと一致しないと判定するステップを実行した後、再接続インジケーションを搬送するパケットデータネットワーク接続解放要求をユーザ機器に送信するステップを実行する前に、プロセッサ４４は、以下のステップをさらに実行する。
【００８９】
ユーザ機器が現在、音声サービスを有しているかどうかを判定する。
【００９０】
判定の結果が「はい」である場合に、ユーザ機器の現在の音声ベアラが完全に解放されているかどうかを検出する。
【００９１】
判定の結果が「いいえ」であるときに再接続インジケーションを搬送するパケットデータネットワーク接続解放要求をプロセッサがユーザ機器に送信するステップは、
ユーザ機器の現在の音声ベアラが完全に解放されていることが検出された場合に、再接続インジケーションを搬送するパケットデータネットワーク接続解放要求をユーザ機器に送信することを含む。
【００９２】
本発明のいくつかの実施形態では、データ転送ゲートウェイは、サービングゲートウェイＳＧＷであり、対応するアンカゲートウェイは、パケットデータネットワークゲートウェイＰＧＷである。または、データ転送ゲートウェイは、Ｇｎ／Ｇｐ  ＳＧＳＮであり、対応するアンカゲートウェイは、ＧＧＳＮである。
【００９３】
本発明のこの実施形態で提供されるパケットデータネットワークとの接続を確立するデバイスによれば、シグナリングストリームおよび音声ストリームの迂回が回避され得、ユーザの音声サービス体験が改善される。
【００９４】
図６は、本発明によるパケットデータネットワークとの接続を確立するデバイスの別の実施形態の概略構造図である。図６に示されるように、デバイス５０００は、
入力装置５１、出力装置５２、メモリ５３およびプロセッサ５４を含む（監視デバイス中のプロセッサ５４の数は１または複数とすることができ、図６では例として１つのプロセッサが使用されている）。本発明のいくつかの実施形態では、入力装置５１、出力装置５２、メモリ５３およびプロセッサ５４は、バスを使用することによって、または別の方法で、互いに接続され得る。それらがバスを使用することによって互いに接続されることが、図６では例として使用されている。
【００９５】
メモリ５３は、プログラムコードのグループを記憶し、プロセッサ５４は、以下の動作を実行するようにメモリ５３に記憶されたプログラムコードを呼び出すように構成される。
【００９６】
ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信する。
【００９７】
ユーザ機器によって送信されたパケットデータネットワーク再接続要求を受信する。
【００９８】
第２のＰＬＭＮのアンカゲートウェイを選択する。
【００９９】
選択されたアンカゲートウェイを使用することによってユーザ機器をパケットデータネットワークに接続する。
【０１００】
いくつかの実行可能な実施方法では、アンカゲートウェイは、パケットデータネットワークゲートウェイＰＧＷまたはＧＧＳＮである。
【０１０１】
本発明のこの実施形態で提供されるパケットデータネットワークとの接続を確立するデバイスによれば、異なるパブリックランドモバイルネットワーク間でローミングしたときに、ユーザ機器は、音声サービスをうまく実行することができ、これが、ユーザの音声サービス体験を改善する。
【０１０２】
図７は、本発明によるパケットデータネットワークとの接続を確立する方法の実施形態の流れ図である。図７に示されるように、この方法は、以下のステップを含む。
【０１０３】
ステップＳ１０１：ユーザ機器の位置が変化したことが検出されたときに、ユーザ機器がパケットデータネットワークに接続するために経由するアンカゲートウェイによってサービス提供されるエリアがデータ転送ゲートウェイによってサービス提供されるエリアと一致するかどうかを判定する。ここで、「はい」である場合には、ステップＳ１０６に進み、そうでない場合には、ステップＳ１０２に進む。
【０１０４】
ユーザ機器の位置が変化する、例えば、ユーザ機器が１つのエリアの有効範囲から別のエリアの有効範囲に移動すると、そのユーザ機器がパケットデータネットワークに接続するために経由するアンカゲートウェイによってサービス提供されるエリアがデータ転送ゲートウェイによってサービス提供されるエリアと一致するかどうかが判定される。一致しない場合には、ユーザ機器が音声サービスを開始したときに、従来技術のシグナリングストリームおよび音声ストリームの迂回が生じ、これが、ユーザの音声サービス体験に影響を及ぼす。一致する場合には、パケットデータネットワークとの接続が残る。
【０１０５】
アンカゲートウェイによってサービス提供されるエリアがデータ転送ゲートウェイによってサービス提供されるエリアと一致と一致するかどうかは、アンカゲートウェイのホスト名がデータ転送ゲートウェイのそれと一致するかどうかを比較することによって判定され得、この場合には、一致する場合に、両者によってサービス提供されるエリアが一致し、または、ローカルに記憶されたアンカゲートウェイリストを探索することによって判定され得る。パケットデータネットワークに現在接続されているアンカゲートウェイがローカルなアンカゲートウェイリスト中にない場合には、アンカゲートウェイによってサービス提供されるエリアは、データ転送ゲートウェイによってサービス提供されるエリアと一致しないものとみなされ、それ以外の場合には、両者によってサービス提供されるエリアが一致するものとみなされる。
【０１０６】
ステップＳ１０２：再接続インジケーションを搬送するパケットデータネットワーク接続解放要求をユーザ機器に送信する。
【０１０７】
判定の結果が、ユーザ機器がパケットデータネットワークに接続するために経由するアンカゲートウェイによってサービス提供されるエリアがデータ転送ゲートウェイによってサービス提供されるエリアと一致しないというものであるときには、パケットデータネットワーク接続解放要求がユーザ機器に送信され、この解放要求は、再接続インジケーションを搬送している。
【０１０８】
ステップＳ１０３：ユーザ機器によって送信されたパケットデータネットワーク再接続要求を受信する。
【０１０９】
ユーザ機器によって再送信されたパケットデータネットワーク再接続要求が、受信される。
【０１１０】
ステップＳ１０４：データ転送ゲートウェイによってサービス提供されるエリアと一致するエリアにサービスを提供するアンカゲートウェイを選択する。
【０１１１】
ステップＳ１０５：選択されたアンカゲートウェイを使用することによってユーザ機器をパケットデータネットワークに接続する。
【０１１２】
ステップＳ１０６：パケットデータネットワークとの接続を残す。
【０１１３】
ユーザ機器によって送信されたパケットデータネットワーク再接続要求が受信されると、データ転送ゲートウェイによってサービス提供されるエリアと一致するエリアにサービスを提供するアンカゲートウェイが選択されてユーザ機器をパケットデータネットワークに接続し、これにより、シグナリングストリームおよび音声ストリームの迂回を回避し得、ユーザの音声サービス体験を改善し得る。
【０１１４】
本発明のこの実施形態で提供されるパケットデータネットワークとの接続を確立する方法によれば、シグナリングストリームおよび音声ストリームの迂回が回避され得、ユーザの音声サービス体験が改善される。
【０１１５】
図８は、本発明によるパケットデータネットワークとの接続を確立する方法の別の実施形態の流れ図である。図８に示されるように、この方法は、以下のステップを含む。
【０１１６】
ステップＳ２０１：ユーザ機器の位置が変化したことが検出されたときに、ユーザ機器がパケットデータネットワークに接続するために経由するアンカゲートウェイによってサービス提供されるエリアがデータ転送ゲートウェイによってサービス提供されるエリアと一致するかどうかを判定する。ここで、「はい」である場合には、ステップＳ２０８に進み、それ以外の場合には、ステップＳ２０２に進む。
【０１１７】
本発明のこの実施形態において、ＶｏＬＴＥサービスでは、装置２０００は、ＭＭＥとすることができ、対応するデータ転送ゲートウェイは、ＳＧＷとすることができ、アンカゲートウェイは、ＰＧＷとすることができる。ＶｏＨＳＰＡサービスでは、装置２０００は、Ｓ４  ＳＧＳＮまたはＧｎ／Ｇｐ  ＳＧＳＮとすることができ、Ｓ４  ＳＧＳＮに対応するものとして、データ転送ゲートウェイは、ＳＧＷとすることができ、アンカゲートウェイは、ＰＧＷとすることができ、Ｇｎ／Ｇｐ  ＳＧＳＮに対応するものとして、データ転送ゲートウェイは、Ｇｎ／Ｇｐ  ＳＧＳＮとすることができ、アンカゲートウェイは、ＧＧＳＮとすることができる。
【０１１８】
例えば、ＵＥは、エリア１でＬＴＥネットワークにアタッチされ、ＩＭＳコアなどのパケットデータネットワークとの接続を確立し、その接続が通過するアンカゲートウェイは、エリア１のＰＧＷである。ここで、ＵＥは、エリア１からエリア２に移動し、ＭＭＥは、ＵＥが実際にアクセスしているトラッキングエリアに従ってＳＧＷを選択し、ＭＭＥは、ＵＥの現在のＳＧＷのホスト名と現在のＰＧＷのホスト名とを比較する。ホスト名が一致する場合には、ＳＧＷおよびＰＧＷによってサービス提供されるエリアは同じであり、ＭＭＥは、ＵＥのＰＧＷに対して再選択動作を実行する必要はない。例えば、ＳＧＷのホスト名は、ｔｏｐｏｎ．ｓ５．ｇｗ３２．ｃａｌｉｆｏｒｎｉａ．ｗｅｓｔ．ｅｘａｍｐｌｅ．ｃｏｍであり、ＰＧＷのホスト名は、ｔｏｐｏｎ．ｓ５．ｇｗ３１．ｃａｌｉｆｏｒｎｉａ．ｗｅｓｔ．ｅｘａｍｐｌｅ．ｃｏｍであり、したがって、この２つのゲートウェイは、同じエリアｃａｌｉｆｏｒｎｉａ．ｗｅｓｔ．ｅｘａｍｐｌｅ．ｃｏｍに属している。
【０１１９】
ＭＭＥは、上記のホスト名が位置づけられているエリアに加えてＭＭＥ内に構成されたローカルなＰＧＷリストに従って、ＳＧＷとＰＧＷとが同じエリアに属するかどうかを判定することができる。すなわち、ローカルに構成されたＰＧＷリストのある範囲に含まれない全てのＰＧＷは、現在のエリアのＰＧＷではないとみなされる。
【０１２０】
ステップＳ２０２：ユーザ機器が現在音声サービスを有しているかどうかを判定する。「はい」である場合には、ステップＳ２０３に進み、それ以外の場合には、ステップＳ２０４に進む。
【０１２１】
ステップＳ２０３：ユーザ機器の現在の音声ベアラが完全に解放されていることを検出する。
【０１２２】
ステップＳ２０４：再接続インジケーションを搬送するパケットデータネットワーク接続解放要求をユーザ機器に送信する。
【０１２３】
上記の例によれば、ＳＧＷおよびＰＧＷが位置づけられているエリアが異なる場合には、ＭＭＥは、ＵＥが現在音声サービスを有しているかどうか（すなわちＭＭＥが音声ＰＤＮ接続のＱＣＩ１ベアラを有するかどうか）を判定する。ＵＥが対応するＶｏＬＴＥ音声サービスを有している場合には、ＵＥの音声サービスベアラが完全に解放された後で、ＭＭＥは、音声ＰＤＮ接続解放を開始し、ここで、解放要求は再接続インジケーションを搬送している。ＵＥが対応するＶｏＬＴＥ音声サービスを有していない場合には、ＭＭＥは、音声ＰＤＮ接続解放を直接開始し、音声ＰＤＮ接続を確立するようにＵＥをトリガする。
【０１２４】
ステップＳ２０５：ユーザ機器によって送信されたパケットデータネットワーク再接続要求を受信する。
【０１２５】
上記の例によれば、ＭＭＥによって送信された音声ＰＤＮ接続解放要求を受信した後で、ＵＥは、音声ＰＤＮ接続の再接続要求を開始する。
【０１２６】
ステップＳ２０６：データ転送ゲートウェイによってサービス提供されるエリアと一致するエリアにサービスを提供するアンカゲートウェイを選択する。
【０１２７】
ステップＳ２０７：選択されたアンカゲートウェイを使用することによってユーザ機器をパケットデータネットワークに接続する。
【０１２８】
ステップＳ２０８：パケットデータネットワークとの接続を残す。
【０１２９】
上記の例によれば、ＵＥの音声ＰＤＮ接続の再接続要求を受信した後で、ＭＭＥは、現在のＳＧＷと同じエリア内にあるＰＧＷをＵＥにサービスを提供するために選択する。
【０１３０】
Ｓ４  ＳＧＳＮによって制御されるＶｏＨＳＰＡサービスでは、サービスの手続きは、以下の通りである。
【０１３１】
１．ＵＥが、エリア１でＬＴＥネットワークにアタッチされ、音声パケットデータプロトコル（Ｐａｃｋｅｔ  Ｄａｔａ  Ｐｒｏｔｏｃｏｌ、ＰＤＰ）接続を作成する。音声ＰＤＰ接続のアンカゲートウェイは、エリア１のＰＧＷである。
【０１３２】
２．ＵＥが、エリア１からエリア２に移動し、ＳＧＳＮが、ＵＥが実際にアクセスしているトラッキングエリアに従ってＳＧＷを選択し、ＳＧＳＮが、ＵＥの現在のＳＧＷのホスト名と現在のＰＧＷのホスト名とを比較する。エリアが同じ場合には、ＧＧＳＮは、ＵＥのＰＧＷに対して再選択動作を実行する必要はない。例えば、ＳＧＷのホスト名は、ｔｏｐｏｎ．ｓ５．ｇｗ３２．ｃａｌｉｆｏｒｎｉａ．ｗｅｓｔ．ｅｘａｍｐｌｅ．ｃｏｍであり、ＰＧＷのホスト名は、ｔｏｐｏｎ．ｓ５．ｇｗ３１．ｃａｌｉｆｏｒｎｉａ．ｗｅｓｔ．ｅｘａｍｐｌｅ．ｃｏｍであり、したがって、この２つのゲートウェイは、同じエリアｃａｌｉｆｏｒｎｉａ．ｗｅｓｔ．ｅｘａｍｐｌｅ．ｃｏｍに属している。
【０１３３】
３．ＳＧＷとＰＧＷとが位置づけられているエリアが異なる場合には、ＳＧＳＮは、ＵＥが現在、音声サービスを有しているかどうか（すなわち、ＳＧＳＮが音声サービスに対応する２次的なＰＤＰを有するかどうか）を判定する。ＵＥが対応するＶｏＨＳＰＡ音声サービスを有している場合には、ＵＥの音声サービスＰＤＰが完全に解放された後で、ＳＧＳＮは、音声ＰＤＰ解放を開始し、ここで、解放要求は、再接続インジケーションを搬送している。ＳＧＳＮによって送信された音声ＰＤＰ解放要求を受信した後で、ＵＥは、音声ＰＤＰ再接続要求を開始する。ＵＥが対応するＶｏＨＳＰＡ音声サービスを有していない場合には、ＳＧＳＮは、音声ＰＤＰ接続解放を直接開始し、音声ＰＤＰ接続を再開するようにＵＥをトリガする。
【０１３４】
ＳＧＳＮは、上記のホスト名が位置づけられているエリアに加えてＳＧＳＮ内に構成されたローカルなＰＧＷリストに従って、ＳＧＷとＰＧＷとが同じエリアに属するかどうかを判定することができる。すなわち、ローカルに構成されたＰＧＷリストのある範囲に含まれない全てのＰＧＷは、現在のエリアのＰＧＷではないとみなされる。
【０１３５】
４．ＵＥの音声ＰＤＰ接続の再接続要求を受信した後で、ＳＧＳＮが、現在のＳＧＷと同じエリア内にあるＰＧＷをＵＥにサービスを提供するために選択する。
【０１３６】
Ｇｎ／Ｇｐ  ＳＧＳＮによって制御されるＶｏＨＳＰＡサービスでは、サービスの手続きは、以下の通りである。
【０１３７】
ＵＥがエリア１の有効範囲からエリア２の有効範囲に移動した後で、Ｇｎ／Ｇｐ  ＳＧＳＮは、現在選択されているＳＧＳＮとＧＧＳＮとが同じエリアに属するかどうかを判定する。ＳＧＳＮとＧＧＳＮとが同じエリア内になく、ＵＥが現在、ＶｏＨＳＰＡ音声サービスを有していない場合には、ＳＧＳＮは、ＵＥの音声ＰＤＰ削除を開始し、音声ＰＤＰを再確立するようにＵＥをトリガする。音声ＰＤＰを再確立するプロセスにおいて、ＳＧＳＮは、ＳＧＳＮと同じエリア内にあるＧＧＳＮをＵＥにサービスを提供するために選択する。以上の処理が完了された後で、ＵＥは、エリア２に移動した後でエリア２のＧＧＳＮに登録し、ＵＥは、エリア２のＧＧＳＮによってサービス提供される。
【０１３８】
Ｓ４  ＳＧＳＮのシナリオとの違いは、以下の通りである。すなわち、Ｇｎ／Ｇｐ  ＳＧＳＮは、ホスト名を使用することによってＳＧＳＮとＧＧＳＮとが同じエリアに属するかどうかを判定することはできず、Ｇｎ／Ｇｐ  ＳＧＳＮ内に構成されたローカルなＧＧＳＮリストを使用してのみ、ＧＧＳＮがそのローカルなリスト内にあるかどうかを判定することができる点である。
【０１３９】
本発明のこの実施形態で提供されるパケットデータネットワークとの接続を確立する方法によれば、アンカゲートウェイによってサービス提供されるエリアがデータ転送ゲートウェイによってサービス提供されるエリアと一致させられるので、シグナリングストリームおよび音声ストリームの迂回が回避されることができるようになり、これが、ユーザの音声サービス体験を改善し、また、音声サービスのトラフィックローカリゼーションが保証されることができるので、音声サービスの呼の遅延が低減され、音声サービス確立の成功率が増加されるようになる。
【０１４０】
図９は、本発明によるパケットデータネットワークとの接続を確立する方法のさらに別の実施形態の概略構造図である。図９に示されるように、この方法は、以下のステップを含む。
【０１４１】
ステップＳ３０１：ユーザ機器が第１のパブリックランドモバイルネットワークＰＬＭＮから第２のＰＬＭＮにローミングしたことが検出されたときに、再接続インジケーションを搬送するパケットデータネットワーク接続解放要求をユーザ機器に送信する。
【０１４２】
ステップＳ３０２：ユーザ機器によって送信されたパケットデータネットワーク再接続要求を受信する。
【０１４３】
ステップＳ３０３：第２のＰＬＭＮのアンカゲートウェイを選択する。
【０１４４】
ステップＳ３０４：選択されたアンカゲートウェイを使用することによってユーザ機器をパケットデータネットワークに接続する。
【０１４５】
異なるＰＬＭＮは、異なる事業者によって管理される。ユーザ機器が異なる事業者間で移動する、すなわち１つのＰＬＭＮから別のＰＬＭＮにローミングするときには、パケットデータネットワーク接続解放要求がユーザ機器に送信される必要があり、この要求が、再接続インジケーションを搬送している。そうでなければ、移動後に、ユーザ機器は、元のアンカゲートウェイを使用することによってパケットデータネットワークに接続することができなくなることがあり、これが、ユーザ機器のＶｏＬＴＥまたはＶｏＨＳＰＡ音声サービスに影響を及ぼす。パケットデータネットワーク接続解放要求を受信した後で、ユーザ機器は、パケットデータネットワーク再接続要求を送信する。ユーザ機器によって送信されたパケットデータネットワーク再接続要求が受信された後で、ユーザ機器は、ユーザ機器がローミングする先のＰＬＭＮのアンカゲートウェイを使用することによってパケットデータネットワークに接続され、ユーザ機器は、それのＶｏＬＴＥまたはＶｏＨＳＰＡ音声サービスをうまく実行することができるようになる。
【０１４６】
ＭＭＥによって制御されるＶｏＬＴＥ音声サービスは、例として使用される。ＵＥが１つのＰＬＭＮの有効範囲から別のＰＬＭＮの有効範囲にローミングした後で、ＵＥが現在登録しているＭＭＥは、ローミングしているエリア内でアクセスすることができるＵＥが、ＩＭＳ  ＰＤＮ接続リソ−スを有するかどうかを判定する。ＩＭＳ  ＰＤＮ接続リソ−スがあり、現在のＰＬＭＮがローミングしているユーザのＶｏＬＴＥサービスをサポートしている場合には、ＭＭＥは、ＩＭＳ  ＰＤＮ接続削除要求を開始するメッセージを使用することによって、ＩＭＳ  ＰＤＮ接続を再確立するようにＵＥに命令する。ＵＥによってＩＭＳ  ＰＤＮ接続を再確立するプロセスでは、ＭＭＥは、ローミングしているユーザについて、ＵＥにサービスを提供するローカルなＰＧＷを選択する。具体的な動作は、以下の通りである。
【０１４７】
１．ＵＥが、ＰＬＭＮネットワークにアタッチされ、音声ＰＤＮ接続を作成する。音声ＰＤＮ接続のアンカゲートウェイは、ＰＬＭＮ１のＰＧＷである。
【０１４８】
２．ＵＥが、ＰＬＭＮ１からＰＬＭＮ２にローミングし、ＭＭＥが、ＵＥについて、ローカルなＰＬＭＮのＳＧＷ２を選択する。
【０１４９】
３．ＵＥが新たなＰＬＭＮにローミングした後で、ＭＭＥが、ＵＥがＰＬＭＮ１からＰＬＭＮ２ネットワークにローミングしたと判定する。ＵＥが現在、ＩＭＳ  ＰＤＮ接続を有しており、ＰＬＭＮ２がローミングしているユーザのＶｏＬＴＥサービスをサポートしている場合には、ＭＭＥは、ＵＥのＩＭＳ  ＰＤＮ接続を解放し、ＩＭＳ  ＰＤＮ接続を再作成するようにＵＥに命令する。
【０１５０】
４．ＵＥの音声ＰＤＮ接続確立要求を受信した後で、ＭＭＥが、現在のＰＬＭＮのＰＧＷを選択する。
【０１５１】
ＳＧＳＮによって制御されるＶｏＬＴＥ音声サービスは、別の例として使用される。ＵＥが１つのＰＬＭＮの有効範囲から別のＰＬＭＮの有効範囲にローミングした後で、ＵＥが現在登録しているＳＧＳＮは、ローミングしているエリア内でアクセスすることができるＵＥが、ＩＭＳ  ＰＤＰリソ−スを有するかどうかを判定する。ＩＭＳ  ＰＤＰ接続リソ−スが存在し、現在のＰＬＭＮネットワークがローミングしているユーザのＶｏＬＴＥサービスをサポートしている場合には、ＳＧＳＮは、ＩＭＳ  ＰＤＰ削除要求を開始するメッセージを使用することによって、ＩＭＳ  ＰＤＰ接続を再確立するようにＵＥに命令する。ＵＥによってＩＭＳ  ＰＤＰ接続を再確立するプロセスでは、ＳＧＳＮは、ローミングしているユーザについて、ＵＥにサービスを提供するローカルなＧＧＳＮを選択する。
【０１５２】
本発明のこの実施形態で提供されるパケットデータネットワークとの接続を確立する方法によれば、異なるパブリックランドモバイルネットワーク間でローミングしたときに、ユーザ機器は、音声サービスをうまく実行することができ、これが、ユーザの音声サービス体験を改善する。
【０１５３】
本願で提供されるいくつかの実施形態では、開示されたデバイスおよび方法は、他の方法でも実施され得ることは理解されなければならない。例えば、説明された装置の実施形態は単なる例示である。例えば、モジュールの分割は、単に論理的な機能の分割に過ぎず、実際の実施態様では他の分割であってもよい。例えば、複数のモジュールまたは構成要素が別のデバイスに結合または統合されてもよいし、またはいくつかの特徴が無視される、もしくは実行されなくてもよい。さらに、表示または議論された相互結合または直接的な結合もしくは通信接続は、いくつかの通信インタフェースを使用することによって実施されてもよい。装置間またはモジュール間の間接的な結合または通信接続は、電子的な形態、機械的な形態、またはその他の形態で実施され得る。
【０１５４】
分離した部分として説明されたモジュールは、物理的に分離している場合もそうでない場合もあり、モジュールとして表示される部分は、物理的なユニットである場合もそうでない場合もあり、１箇所に位置づけられていても、または複数のネットワークユニット上に分散されていてもよい。実施形態の解決策の目的を達成するために、実際の必要に応じて、モジュールのうちの一部が選択されることも、全てが選択されることもある。
【０１５５】
さらに、本発明の実施形態の機能モジュールは、１つの処理モジュールに統合されていてもよいし、各モジュールが物理的に独立して存在していてもよく、または２つ以上のモジュールは１つのモジュールに統合される。
【０１５６】
上記の実施形態の説明に基づき、各実施方法が、必要な一般的なハードウェアプラットフォームを加えて、ソフトウェアによって、またはハードウェアによって実施され得ることを、当業者なら明白に理解することができる。このような理解に基づき、上記の技術的解決策は、基本的にソフトウェアデバイスの形態で実施され得、または従来技術に寄与する部分も、ソフトウェアデバイスの形態で実施され得る。コンピュータソフトウェアデバイスは、ＲＯＭ／ＲＡＭ、磁気ディスクまたは光ディスクなどのコンピュータ可読記憶媒体に記憶され、実施形態において説明された方法または実施形態のいくつかの部分を実行するようにコンピュータデバイス（パーソナルコンピュータ、サーバ、ネットワークデバイスなどとすることができる）に命令するためのいくつかの命令を含む。
【０１５７】
上記の実施方法は、技術的解決策の保護範囲を限定するように意図されたものではない。上記の実施方法の趣旨および原理を逸脱することなく行われる任意の修正、等価な置換および改善は、技術的解決策の保護範囲内に入るものとする。
【図１ａ】
0006386554.tif 000002
【図１ｂ】
0006386554.tif 000003
【図１ｃ】
0006386554.tif 000004
【図２】
0006386554.tif 000005
【図３】
0006386554.tif 000006
【図４】
0006386554.tif 000007
【図５】
0006386554.tif 000008
【図６】
0006386554.tif 000009
【図７】
0006386554.tif 000010
【図８】
0006386554.tif 000011
【図９】
0006386554.tif 000012